(57)【特許請求の範囲】
【請求項１】
ワイヤレス通信ネットワーク（１０）によって無線識別情報の有限セット（５０）から割付け可能な無線識別情報が、個々のワイヤレスノード（１８）との個別の無線接続を区別するために使用される、前記ワイヤレス通信ネットワーク（１０）内で動作するように設定された無線ネットワークノード（１２−１）であって、前記無線ネットワークノード（１２−１）は、前記ワイヤレス通信ネットワーク（１０）内の第１サービスエリア（１４−１）に関連付けられ、かつ、前記無線ネットワークノード（１２−１）が、
前記ネットワーク（１０）の個々のサービスエリア（１４）の間で無線識別情報を移送するために、前記ネットワーク（１０）内の第２サービスエリア（１４−２）に関連付けられた１つまたは複数の無線ネットワークノード（１２−２）とシグナリングを交換するために設定された通信インターフェース（２２）と、
前記通信インターフェースに動作上関連付けられた処理回路（２６）であって、
前記第１サービスエリア（１４−１）内での動作のために、前記第１サービスエリア（１４−１）に関連付けられた第１無線識別情報を第１ワイヤレスノード（１８−１）に割り当てること、
前記第１ワイヤレスノード（１８−１）が、前記第１サービスエリア（１４−１）から前記第２サービスエリア（１４−２）に移動するのと同時に、前記第１ワイヤレスノード（１８−１）との前記無線接続を継続するために、前記第１サービスエリア（１４−１）から前記第２サービスエリア（１４−２）に前記第１無線識別情報の使用を移送すること、および、
前記第１無線識別情報の前記移送を支配する貸与期間の終了まで、前記第１無線識別情報のあらゆる新しい使用を前記第１サービスエリア（１４−１）内で据え置くこと
を行うように設定された処理回路（２６）と
を備え、
前記処理回路（２６）が、前記第２サービスエリア（１４−２）に関連付けられた前記無線ネットワークノード（１２−２）に貸与シグナリングを送信することによって前記第１無線識別情報を移送するように設定され、前記貸与シグナリングが前記第１無線識別情報の指示を含み、
前記貸与シグナリングは、前記第１無線識別情報が、どの程度長く前記第２サービスエリア（１４−２）内で前記第１ワイヤレスノード（１８−１）に対して使用されてもよいかということ、および、前記第１ワイヤレスノード（１８−１）に対する前記第１無線識別情報をさらなるサービスエリア（１４）内で継続使用するために、前記第１無線識別情報が前記第２サービスエリア（１４−２）から移送され得るかどうか、またはどの程度の範囲まで移送され得るかということのうちの少なくとも１つを制約する１つまたは複数の制限を示唆する、
無線ネットワークノード（１２−１）。
【請求項２】
前記処理回路（２６）が、前記第１サービスエリア（１４−１）に関連付けられた無線識別情報の前記有限セット（５０）のサブセット（１６）から前記第１無線識別情報を割り当てるように設定された、請求項１に記載の無線ネットワークノード（１２−１）。
【請求項３】
前記関連付けられた無線識別情報のサブセット（１６）が、いくつかの個々のサブセット（１６）の中の１つであり、それぞれのこのようなサブセット（１６）が、前記ネットワーク（１０）内の異なるサービスエリア（１４）に関連付けられた、請求項２に記載の無線ネットワークノード（１２−１）。
【請求項４】
第２ワイヤレスノード（１８−２）に対して、前記処理回路（２６）が、
前記ネットワーク（１０）内の隣接サービスエリア（１４）に関連付けられた第２無線識別情報を借用することと、
前記第１サービスエリア（１４−１）内での動作のために、前記第２無線識別情報を第２ワイヤレスノード（１８−２）に割り当てることと
を行うように設定された、請求項１から３のいずれか一項に記載の無線ネットワークノード（１２−１）。
【請求項５】
前記第１無線識別情報が、
復調用参照信号（ＤＭＲＳ）と、
物理層スクランブル系列と、
データパケットのランダム化のために使用されるスクランブル系列と、
無線接続固有同期信号と、
無線ネットワーク一時識別子（ＲＮＴＩ）と
のうちの任意の１つまたは複数を備えるか、またはマップする、請求項１から４のいずれか一項に記載の無線ネットワークノード（１２−１）。
【請求項６】
ワイヤレス通信ネットワーク（１０）内での動作のために設定されたワイヤレスノード（１８）における動作の方法（１３００）であって、前記方法（１３００）が、
前記ネットワーク（１０）によって前記ワイヤレスノード（１８）に割り当てられた第１無線識別情報を決定すること（１３０２）と、
前記ワイヤレスノード（１８）と前記ネットワーク（１０）との間の、前記ネットワーク（１０）の第１サービスエリア（１４−１）によってサポートされる無線接続を区別するために、前記第１無線識別情報を使用すること（１３０４）と、
前記無線接続が前記ネットワーク（１０）の第２サービスエリア（１４−２）に移動されていることを示唆する、前記ネットワーク（１０）からのシグナリングを受信すること（１３０６）と、
前記第２サービスエリア（１４−２）との前記無線接続を継続するために、前記無線接続に対する前記第１無線識別情報を使用し続けること（１３０８）と
を含み、
前記シグナリングが、前記第１無線識別情報が、どの程度長く前記第２サービスエリア（１４−２）内で前記ワイヤレスノード（１８）に対して使用されてもよいかということ、および、前記ワイヤレスノード（１８）に対する前記第１無線識別情報をさらなるサービスエリア（１４）内で継続使用するために、前記第１無線識別情報が前記第２サービスエリア（１４−２）から移送され得るかどうか、またはどの程度の範囲まで移送され得るかということのうちの少なくとも１つを制約する１つまたは複数の制限を示唆する、
方法（１３００）。
【請求項７】
前記ネットワーク（１０）からの前記シグナリングに応答して、前記無線接続で受信するために前記ワイヤレスノード（１８）によって使用される無線チャネルフィルタ（１２０）をリセットすること（１３１０）をさらに含む、請求項６に記載の方法（１３００）。
【請求項８】
前記第１無線識別情報が、
ユーザ固有系列と、
復調用参照信号（ＤＭＲＳ）と、
物理層スクランブル系列と、
データパケットのランダム化のために使用されるスクランブル系列と、
無線接続固有同期信号と、
無線ネットワーク一時識別子（ＲＮＴＩ）と
のうちの任意の１つまたは複数を備えるか、またはマップする、請求項６または７に記載の方法（１３００）。
【請求項９】
前記無線接続がアップリンク無線接続である、請求項６から８のいずれか一項に記載の方法（１３００）。
【請求項１０】
ワイヤレス通信ネットワーク（１０）内での動作のために設定されたワイヤレスノード（１８）であって、前記ワイヤレスノード（１８）が、
前記ネットワーク（１０）との無線通信のために設定された通信インターフェース（１０４、１０６、１０８）と、
前記通信インターフェース（１０４、１０６、１０８）に動作上関連付けられた処理回路（１１２）であって、
前記ネットワーク（１０）によって前記ワイヤレスノード（１８）に割り当てられた第１無線識別情報を決定すること、
前記ワイヤレスノード（１８）と前記ネットワーク（１０）との間の、前記ネットワーク（１０）の第１サービスエリア（１４−１）によってサポートされる無線接続を区別するために、前記第１無線識別情報を使用すること、
前記無線接続が前記ネットワーク（１０）の第２サービスエリア（１４−２）に移動されていることを示唆する、前記ネットワーク（１０）からのシグナリングを受信すること、および、
前記第２サービスエリア（１４−２）との前記無線接続を継続するために、前記無線接続に対する前記第１無線識別情報を使用し続けること
を行うように設定された処理回路（１１２）と
を備え、
前記シグナリングが、前記第１無線識別情報が、どの程度長く前記第２サービスエリア（１４−２）内で前記ワイヤレスノード（１８）に対して使用されてもよいかということ、および、前記ワイヤレスノード（１８）に対する前記第１無線識別情報をさらなるサービスエリア（１４）内で継続使用するために、前記第１無線識別情報が前記第２サービスエリア（１４−２）から移送され得るかどうか、またはどの程度の範囲まで移送され得るかということのうちの少なくとも１つを制約する１つまたは複数の制限を示唆する、
ワイヤレスノード（１８）。
【請求項１１】
前記処理回路（１１２）が、前記ネットワーク（１０）からの前記シグナリングに応答して、前記無線接続で受信するために前記通信インターフェース（１０４、１０６、１０８）によって使用された無線チャネルフィルタ（１２０）をリセットするようにさらに設定された、請求項１０に記載のワイヤレスノード（１８）。
【請求項１２】
前記第１無線識別情報が、
ユーザ固有系列と、
復調用参照信号（ＤＭＲＳ）と、
物理層スクランブル系列と、
データパケットのランダム化のために使用されるスクランブル系列と、
無線接続固有同期信号と、
無線ネットワーク一時識別子（ＲＮＴＩ）と
のうちの任意の１つまたは複数を備えるか、またはマップする、請求項１０または１１に記載のワイヤレスノード（１８）。
【請求項１３】
前記無線接続がアップリンク無線接続である、請求項１０から１２のいずれか一項に記載のワイヤレスノード（１８）。
【請求項１４】
前記ワイヤレスノード（１８）がユーザ機器である、請求項１０から１３のいずれか一項に記載のワイヤレスノード（１８）。
【発明の詳細な説明】
【技術分野】
【０００１】
本発明は、一般に、ワイヤレス通信ネットワークに関し、詳細には多数の送信ポイントを有するネットワークに関する。
【背景技術】
【０００２】
モビリティ管理は、Ｌｏｎｇ  Ｔｅｒｍ  Ｅｖｏｌｕｔｉｏｎ（ＬＴＥ）または他の第３世代パートナーシッププロジェクト（３ＧＰＰ）標準に基づいたセルラー通信ネットワークなどのモバイル通信ネットワークにおける主要かつ継続的な課題の一例である。一般的な案として、特定の無線ノードまたはセルラーネットワーク内のノードは、ネットワーク内でアクティブであり動作している所与のモバイルノードに対して「サービング」ノードとして動作する。サービングノードの更新は多くの場合「ハンドオーバ」と呼ばれ、これによってモバイルノードは現在のサービングノードから新たに指定されたサービングノードに「ハンドオーバされる」。これらの更新はネットワークの様々なカバレッジエリア内のモバイルノードの移動に対応し、場合によっては干渉条件を変化させ、セル負荷を変化させるなどする。
【０００３】
既知のアプローチでは、ネットワークはモバイルノードのサービングノードに対する無線ノードの近隣セットを識別し、報告された信号品質またはサービング無線ノードおよびその近隣に対してデバイスによってなされた他の関係する測定値を監視する。相対的な信号品質によって、ネットワークは、現在のサービングノードから隣接するノードにモバイルデバイスのハンドオーバを開始してもよい。ハンドオーバの開始は、一般に、関連するモバイルノードに対するシグナリング、ならびに関連する無線ノード間のシグナリングを伴う。
【０００４】
ハンドオーバの間に、モバイルノードは、サービング無線ノードから切断し、ハンドオーバによってターゲットとされた新しい無線ノードに接続する。これらの個々の役割の反映として、ネットワーク内の現在のサービングノードは、多くの場合、「ソース」ノードとみなされるが、一方、新しく指定されたサービングノードは、「ターゲット」ノードとして分類される。再接続処理は、多くの場合、ターゲットの無線ノードと入ってくるモバイルノードとの間の、新しいまたは更新されたリソース割当てを反映する新しい無線設定を伴う。
【０００５】
ハンドオーバ処理に関連付けられた課題のうちの１つは、これらのプロシージャが多くの場合、セル境界またはその近くで起こり、ここでモバイルノードは、ソースおよびターゲットの無線ノードのうちのどちらか一方または両方に対して低減された信号を体感する可能性があるというものである。しかし、いくつかの点で、より新しい無線技術およびそれらを組み込むネットワークの関連機能は、モバイルノードが１つのサービングセルから別のサービングセルに移動すると見なされるものから、サービング「セル」が動かされるものへとハンドオーバの概念を変容させてきた。この考えは、「セル」によって意味されるものに関する定義に対応するためだけに有効であり、このような文脈では、「セル」は特定の無線識別情報の使用を介して識別または規定される可能性があるような、特定のモバイルノードに対して使用されるノード固有の無線リンクまたは接続として理解されてもよい。しかし、本明細書では、このような「セル」の移動を管理または制御するための効果的な仕組みは提案されてこなかったと認識される。
【０００６】
非限定的な例では、ネットワークとモバイルノードとの間のデータ接続または送信は、スクランブルされ、重みを付加され、符号化され、または他の仕方で、モバイルノードに具体的に割り当てられた復調用参照信号すなわち「ＤＭＲＳ」を使用して構造化されてもよい。デバイス固有のＤＭＲＳは、例えば同じセル内で動作する異なるユーザに対して異なるＤＭＲＳを使用することによって、より多くのモバイルノードまたはユーザを同時にサービングする基礎を提供するので、より新しい無線技術において顕著に特徴となっている無線識別情報のタイプである。しかし、有限個のＤＭＲＳ系列が利用可能であり、同じＤＭＲＳ系列が同じカバレッジエリア内で異なるデータ送信に対して並行に使用されるときに生じる干渉問題から判断して、本明細書では、モビリティ管理は関連するネットワークのますます増大する高度化、およびセルに関するデバイス固有の定義への動向によって、むしろ、より困難になること認識する。
【発明の概要】
【０００７】
本明細書における本教示の１つの態様は、ワイヤレス通信ネットワークの１つのサービスエリアから別のサービスエリアへの無線識別情報の一時的な移送を伴い、ここで、個別の無線識別情報を使用してネットワークとネットワークによってサポートされた個々のワイヤレスノードとの間の個別の無線接続を区別する。具体的には、別のサービス内で使用するためにデフォルトのサービスエリアから所与の無線識別情報を一時的に移送することは、時間的および／または地理的に制限される。無線識別情報の移送に関する時間的および／または地理的な範囲を制限することによって、ネットワークは無線識別情報と個々のサービスエリアとのデフォルトの関連付けを実質的に維持することができ、これによりネットワークは同じサービスエリア内の競合する無線識別情報の使用を防止または低減することができる。移送シグナリングは移送無線識別情報を使用してもよく、このようなシグナリングは、ネットワーク内の借用された識別情報の移行または拡散を制御するために、時間的および／または地理的制約を含んでもよい。
【０００８】
１つの実施形態は、ワイヤレス通信ネットワーク内の無線リソース管理の方法を伴い、この方法において、ネットワークによって無線識別情報の有限セットから割付け可能な無線識別情報は、個々のワイヤレスノードとの個別の無線接続を区別するために使用される。この方法はネットワーク内のネットワークノードによって実装され、１つの実装形態の例では、第１サービスエリア内での動作のために、ネットワーク内の第１サービスエリアに関連付けられた第１無線識別情報を第１ワイヤレスノードに割り当てることを含む。さらにこの方法は、第１ワイヤレスノードが第１サービスエリアから第２サービスエリアに移動するのと同時に、第１ワイヤレスノードとの無線接続を継続するために、第１サービスエリアから第２サービスエリアに第１無線識別情報の使用を移送することと、第１無線識別情報の移送を支配する貸与期間の終了まで、第１無線識別情報のあらゆる新しい割当てを第１サービスエリア内で据え置くこととを含む。
【０００９】
関係する実施形態の例は、ワイヤレス通信ネットワーク内で動作するように設定されたネットワークノードを伴い、ネットワークによって無線識別情報の有限セットから割付け可能な無線識別情報は、個々のワイヤレスノードとの個別の無線接続を区別するために使用される。ネットワークノードの例は、ネットワークの個々のサービスエリアの間で無線識別情報を移送するために、ネットワーク内の１つまたは複数の無線ネットワークノードとシグナリングを交換するために設定された通信インターフェースを含む。さらにネットワークノードは、通信インターフェースに動作上関連付けられ、第１サービスエリア内での動作のために、ネットワーク内の第１サービスエリアに関連付けられた第１無線識別情報を第１ワイヤレスノードに割り当てるように設定された処理回路を含む。さらに処理回路は、第１ワイヤレスノードが第１サービスエリアから第２サービスエリアに移動するのと同時に、第１ワイヤレスノードとの無線接続を継続するために、第１サービスエリアから第２サービスエリアに第１無線識別情報の使用を移送するように設定される。これらの特徴を補完して、処理回路は第１無線識別情報の移送を支配する貸与期間の終了まで、第１無線識別情報のあらゆる新しい使用を第１サービスエリア内で据え置くように設定される。
【００１０】
また、別の実施形態は、ワイヤレス通信ネットワーク内の無線リソース管理の方法を伴い、ネットワークによって無線識別情報の有限セットから割付け可能な無線識別情報は、個々のワイヤレスノードとの個別の無線接続を区別するために使用される。この方法の例はネットワーク内の第１サービスエリアに関連付けられたネットワークノードによって実装され、ネットワーク内の隣接サービスエリアに関連付けられた第１無線識別情報を借用することと、第１サービスエリア内での動作のために第１無線識別情報を第１ワイヤレスノードに割り当てることとを含む。さらに方法は、第１サービスエリア内での第１ワイヤレスノードの継続動作のために、第１サービスエリアに関連付けられた第２無線識別情報を第１ワイヤレスノードにその後割り当てること、第１ワイヤレスノードに対する第１無線識別情報の借用が終わったことを示唆する指示を隣接サービスエリア内のネットワークノードに送信すること、および第１無線識別情報に課されたあらゆる貸与の制約を条件として、第１サービスエリアからさらなるサービスエリアに第１ワイヤレスノードを移動させるために、第１無線識別情報をさらなるサービスエリアに貸与することのうちの少なくとも１つを行うことを含む。
【００１１】
関係する実施形態の例は、ワイヤレス通信ネットワーク内で動作するように設定されたネットワークノードを伴い、ネットワークによって無線識別情報の有限セットから割付け可能な無線識別情報は、個々のワイヤレスノードとの個別の無線接続を区別するために使用される。実装形態の例のネットワークノードは、ネットワークの個々のサービスエリアの間で無線識別情報を移送するために、ネットワーク内の１つまたは複数の無線ネットワークノードとシグナリングを交換するために設定された通信インターフェースを含む。さらにネットワークノードは、通信インターフェースに動作上関連付けられ、ネットワーク内の隣接サービスエリアに関連付けられた第１無線識別情報を借用するように設定された処理回路を含む。さらに処理回路は、第１サービスエリア内での動作のために、第１無線識別情報を第１ワイヤレスノードに割り当てることと、第１サービスエリア内での第１ワイヤレスノードの継続動作のために、第１サービスエリアに関連付けられた第２無線識別情報を第１ワイヤレスノードにその後割り当てる動作、第１ワイヤレスノードに対する第１無線識別情報の借用が終わったことを示唆する指示を隣接サービスエリア内のネットワークノードに送信する動作、および第１無線識別情報に課されたあらゆる貸与の制約を条件として、第１サービスエリアからさらなるサービスエリアに第１ワイヤレスノードが移動するために、第１無線識別情報をさらなるサービスエリアに貸与する動作のうちの少なくとも１つを行うこととを行うように設定される。
【００１２】
さらに関係する実施形態は、ワイヤレス通信ネットワーク内の無線識別情報を管理する方法を伴い、ネットワークによって無線識別情報の有限セットから割付け可能な無線識別情報は、個々のワイヤレスノードとの個別の無線接続を区別するために使用される。この方法の例は、無線識別情報の個々のサブセットをネットワークの複数のサービスエリアの中の個々のサービスエリアに関連付けることを含む。さらにこの方法は、複数のサービスエリアの中の任意の所与の第１サービスエリア内において、第１サービスエリア内で動作するワイヤレスノードとの無線接続を確立するために、第１サービスエリアに関連付けられた無線識別情報のサブセットから無線識別情報を必要に応じて割り当てることを含む。第２サービスエリアから第１サービスエリアに入ってきて、第２サービスエリアに関連付けられた無線識別情報のサブセットから割り当てられた現在の無線識別情報を有する、入ってくるワイヤレスノードに関して、さらにこの方法は、入ってくるワイヤレスノードが第２サービスエリアから第１サービスエリアに移動するときに、同じ無線識別情報を継続使用できるように、入ってくるワイヤレスノードを第１サービスエリア内でサポートする際に使用するために、借用された無線識別情報として現在の無線識別情報を借用すること含む。また、この方法は、第２サービスエリア内で使用する目的で借用された無線識別情報を返すために、借用された無線識別情報の使用をその後終了すること、および第１サービスエリアに関連付けられたサブセットから取られた無線識別情報を入ってくるワイヤレスノードに割り当てることを含む。
【００１３】
さらに、第１サービスエリアから第３サービスエリアへ出ていき、第１サービスエリアに関連付けられた無線識別情報のサブセットから割り当てられた現在の無線識別情報を有する、出ていくワイヤレスノードに関して、この方法は、入ってくるワイヤレスノードを第３サービスエリア内でサポートする際に使用するために、貸与された無線識別情報として現在の無線識別情報を貸与すること含む。貸与する動作は、出ていくワイヤレスノードが第１サービスエリアから第３サービスエリアに移動するときに、同じ無線識別情報を継続使用できるようにする。それに対応して、この方法は、貸与された無線識別情報に関連付けられた貸与期間中、貸与された無線識別情報の新しい割当てを第１サービスエリア内で据え置くことを含む。
【００１４】
さらに別の実施形態は、ワイヤレス通信ネットワーク内での動作のために設定されたワイヤレスノードにおける動作の方法を伴う。この方法の例は、ネットワークによってワイヤレスノードに割り当てられた第１無線識別情報を決定すること、およびワイヤレスノードとネットワークとの間の無線接続を区別するために、第１無線識別情報を使用することを含む。ここで当該の無線接続は、ネットワークの第１サービスエリアによってサポートされており、さらにこの方法は、無線接続がネットワークの第２サービスエリアに移動されていることを示唆するネットワークからのシグナリングを受信すること、および第２サービスエリアとの無線接続を継続するために、無線接続に対する第１無線識別情報を使用し続けることを含む。
【００１５】
関係する実施形態は、ワイヤレス通信ネットワーク内での動作のために設定されたワイヤレスノードを伴う。ワイヤレスノードの例は、ネットワークとの無線通信のために設定された通信インターフェース、および通信インターフェースに動作上関連付けられた処理回路を含む。処理回路は、ネットワークによってワイヤレスノードに割り当てられた第１無線識別情報を決定するように、およびワイヤレスノードとネットワークとの間の無線接続を区別するために第１無線識別情報を使用するように設定される。ここで当該の無線接続は、ネットワークの第１サービスエリアによってサポートされており、さらに処理回路は、無線接続がネットワークの第２サービスエリアに移動されていることを示唆するネットワークからのシグナリングを受信するように、および第２サービスエリアとの無線接続を継続するために無線接続に対する第１無線識別情報を使用し続けるように設定される。
【００１６】
もちろん本発明は、上記の特徴および利点に限定されない。実際に当業者は、以下の詳細な説明を読み、添付の図面を見ることでさらなる特徴および利点を認識するであろう。
【図面の簡単な説明】
【００１７】
【図１】無線リソース管理のために設定されたネットワークノードの１つの実施形態を含むワイヤレス通信ネットワークの例に関するブロック図である。
【図２】図１に紹介されたネットワークノードに対する実装詳細の例に関するブロック図である。
【図３】図１に紹介されたネットワークノードに対するさらなる詳細例に関するブロック図である。
【図４】ワイヤレス通信ネットワークの対応するサービスエリアに関連付けるために、無線識別情報の有限セットを識別情報の個々のサブセットに分割する例を示す図である。
【図５】ワイヤレス通信ネットワークとネットワークによってサーブされる個別のワイヤレスノードとの間の無線接続を区別するために個別に割付け可能であり、ネットワークの異なるサービスエリアに関連付けられた無線識別情報のサブセットに分割される無線識別情報のセットの図である。
【図６】本明細書で教示されたように無線リソースを管理するために、本明細書で提示された本教示を実行するように設定された処理モジュール例に関するブロック図である。
【図７】本明細書で教示された１つの実施形態による無線リソースを管理する方法に関する論理流れ図である。
【図８Ａ】ネットワークの別のエリアにおける一時的な使用のために、ワイヤレス通信ネットワークの１つのサービスエリアから無線識別情報を移送することに関する１つの例による一連のブロック図を含む図である。
【図８Ｂ】ネットワークの別のエリアにおける一時的な使用のために、ワイヤレス通信ネットワークの１つのサービスエリアから無線識別情報を移送することに関する１つの例による一連のブロック図を含む図である。
【図９】ネットワークの別のエリアにおける一時的な使用のために、ワイヤレス通信ネットワーク内の１つのサービスエリアから無線識別情報を借用することに関する１つの例による一連のブロック図を含む図である。
【図１０】本明細書で教示された別の実施形態による無線リソースを管理する方法に関する論理流れ図である。
【図１１】本明細書で教示されたさらに別の実施形態による無線リソースを管理する方法に関する論理流れ図である。
【図１２】本明細書の教示によるワイヤレスノードおよび関連付けられた処理方法の実施形態の例を示す図である。
【図１３】本明細書の教示によるワイヤレスノードおよび関連付けられた処理方法の実施形態の例を示す図である。
【発明を実施するための形態】
【００１８】
図１は、いくつかの無線ネットワークノード１２、例えば１２−１、１２−２などを備える無線アクセスネットワーク（ＲＡＮ）部分を含むワイヤレス通信ネットワーク１０の実施形態の例を示す。例えば、第１無線ネットワークノード１２−１が第１サービスエリア１４−１内の通信サービス提供し、第２無線ネットワークノード１２−２が第２サービスエリア１４−２内の通信サービスを提供するなど、それぞれの無線ネットワークノード１２は、１つまたは複数のサービスエリア１４内の通信サービスを提供する。
【００１９】
無線ネットワークノード１２は、例えば基地局、アクセスポイント、またはユーザ固有の無線接続もしくはリンクが無線識別子を使用して区別される無線接続性を提供する他の無線送受信機ノードであり、無線識別子のサブセット１６は、個々のサービスエリア１４内で動作する所与のワイヤレスノード１８に割り付けるために、個々のサービスエリア１４に関連付けられる。無線ネットワークノード１２は、ワイヤレスノード１８と通信するためにワイヤレスインターフェース、例えばセルラー無線送受信機回路機器を有するものとして理解され、ワイヤレスノード１８は、ネットワーク１０内で動作するように設定された任意のタイプのワイヤレスデバイスまたは装置を本質的に表すものとして理解される。非限定的な例には、スマートフォン、フィーチャーフォン、モデム、ワイヤレスアダプタ、マシン型通信すなわちＭＴＣデバイス、ラップトップ、タブレット、もしくは他のタイプの「ユーザ機器」すなわちＵＥ、または加入者デバイスが含まれる。
【００２０】
少なくともいくつかのタイプの通信に対して、例えば少なくとも一定のデータ送信またはデータチャネルに対して、ネットワーク１０は、割付け可能な無線識別情報を使用して、ワイヤレスノード１８のうちの所与の１つへの、または所与の１つからの送信を、ワイヤレスノード１８のうちの別の１つまたはいくつかへの、または別の１つまたはいくつかからの送信に対して区別する。このような状況では、無線識別情報の有限プールは、第１サービスエリア１４−１に関連付けられた第１サブセット１６−１、第２サービスエリア１４−２に関連付けられた第２サブセット１６−２などに再分割してもよい。これらの関連付けは、地理的な意味を有してもよい。例えば、互いにすぐ近くの異なるワイヤレスノード１８に割り付けられた同じ無線識別情報の可能性または頻度を制限する要望があってもよい。
【００２１】
例えば、復調用参照信号すなわちＤＭＲＳは、Ｌｏｎｇ  Ｔｅｒｍ  Ｅｖｏｌｕｔｉｏｎ（ＬＴＥ）およびＬＴＥアドバンストネットワークに基づいた通信ネットワークで使用される無線識別情報の１つのタイプである。このような状況において、およびアップリンク送信に関して、ＤＭＲＳは、個別のユーザに割り当てられるＺａｄｏｆｆ−Ｃｈｕ系列または他の系列である。次にそれぞれのユーザは、割り当てられたＤＭＲＳをアップリンクデータ送信に適用する。受信無線ネットワークノードは、それぞれのユーザに割り当てられたＤＭＲＳを使用してユーザから発信する送信を回復し、ネットワークは一般的な案として干渉を回避するために、同じ地理的な位置で動作する異なるユーザによる同じＤＭＲＳの同時使用を回避する。
【００２２】
上記の内容からわかるように、それぞれの無線ネットワークノード１２は、本明細書で教示された無線リソース管理に関するネットワーク側の態様を実行するために、制御と通信回路機器の可能な複雑な組合せを備える。図２は、無線ネットワークノード１２のいずれかまたは全ての中に実装される可能性のある通信および制御回路機器２０の実施形態の非限定的な例を提供する。
【００２３】
通信および制御回路機器２０は、通信インターフェース２２および処理回路機器２４を含む。処理回路機器２４は、処理回路２６およびストレージ２８を備えるか、または含む。非限定的な例では、処理回路２６は、１つまたは複数のマイクロプロセッサ、デジタル信号プロセッサすなわちＤＳＰ、特定用途向け集積回路すなわちＡＳＩＣ、フィールドプログラマブルゲートアレイすなわちＦＰＧＡ、または他のデジタル処理回路機器などのコンピュータ回路機器を備える。それに対応してストレージ２８は、無線識別情報の割当ておよび関連付け情報３０、ならびにコンピュータプログラム３２を格納する１つまたは複数のタイプの非一時的コンピュータ可読媒体を備える。
【００２４】
非限定的な例として、無線識別情報の割当ておよび関連付け情報３０は、１つまたは複数のサービスエリア１４に関する、現在割り当てられている、および／または現在割り当てられていない無線識別情報を示唆する情報を備え、さらに、対応するサービスエリア１４との無線識別情報のサブセット１６の初期関連付けのデフォルトを示唆する情報を備える。さらに無線識別情報の割当ておよび関連付け情報３０は、本明細書で教示されたような「借用する」および「貸与する」全ての無線識別情報を示唆する、動的に決定されたまたは例示された情報を含んでもよい。
【００２５】
さらなる非限定的な例として、コンピュータプログラム３２は、処理回路機器２４によって実行するためにコンピュータプログラム命令を備える。ここでコンピュータプログラム３２は、コンピュータプログラム命令を備え、処理回路機器２４によるコンピュータプログラム命令の実行は、本明細書で説明されたネットワーク側の無線識別情報管理の教示に従って処理回路２６を設定する。もちろん処理回路２６もまた、固定回路機器または固定化およびプログラム化された回路機器の組合せを含むか、または備えてもよい。
【００２６】
図３は無線ネットワークノード１２に関するさらなる詳細例を示す。具体的には、この例における通信インターフェース２２は、ワイヤレスノード１８に送信し、ワイヤレスノード１８から受信するための無線送受信機回路機器２２−１、例えば無線リソース管理のために他の無線ネットワークノード１２と通信するためのイントラノードインターフェース回路機器２２−２、および図に示されていないモビリティ管理エンティティ、パケットゲートウェイ、他などの１つまたは複数のコアネットワークノードと通信するためのコアネットワークインターフェース回路機器２２−３を含むということがわかる。
【００２７】
図４は本明細書で想定された、いくつかの実施形態に存在する別のネットワークノード４０を紹介する。具体的には、本明細書で想定されたネットワーク側の無線リソース管理機能を個々の無線ネットワークノード１２に実装するのではなく、その機能の全てまたはいくつかは、ネットワークノード４０に実装される。好都合なことにネットワークノード４０は、ある意味では多数の無線ネットワークノード１２に対して集約型でもよい。ネットワークノード４０は、直接、無線インターフェースでワイヤレスノード１８と通信するための無線送受信機回路機器を有していてもよく、または有していなくてもよい「無線」ネットワークノードであってもよく、または、そうでなくてもよい。
【００２８】
したがって、本明細書で用語「ネットワークノード」が使用されるとき、ノードは、無線送受信機回路機器、および文脈で有用なら、例えばワイヤレスノード１８に接続性をもたらすための無線送受信機回路機器を含むネットワークノードを含んでもよく、または含まなくてもよく、このようなノードは特に「無線ネットワークノード」と呼ばれてもよい。ここでネットワークノード４０は、ネットワーク１０の無線アクセスネットワークすなわちＲＡＮの部分にあってもよく、またはネットワーク１０のコアネットワークすなわちＣＮの部分にあってもよい。
【００２９】
１つの例では、ネットワークノード４０は、ある意味では２つ以上の無線ネットワークノード１２に対して集約型の無線ネットワークコントローラであり、本明細書で想定された無線リソース管理のうちの少なくともいくつかをネットワーク側で提供する。別の例として、ネットワークノード１２は、分散アンテナシステムすなわちＤＡＳの無線ヘッドまたは送信ポイントであり、ネットワークノード４０は、ＤＡＳの動作を制御し、サービスエリア１４にまたがる、およびその中の割付け可能な無線識別情報の使用および分布を制御することを含む。
【００３０】
図４は、例示のネットワークノード４０が個々の無線ネットワークノード１２に対する通信リンクを有し、無線ネットワークノード１２と通信するように設定された通信インターフェース４２を含むことを示唆する。通信インターフェース４２は、例えばデータおよび制御シグナリングを無線ネットワークノード１２と交換するために設定されたバックホール通信インターフェースである。
【００３１】
ネットワークノード４０は処理回路機器４４および関連付けられたストレージ４６を含む。ネットワークノード４０の処理回路機器４４およびストレージ４６は、無線ネットワークノード１２の、前に説明された処理回路機器２４およびストレージ２８と特定の方法において異なってもよい。しかし本議論のために、処理回路機器４４は、ネットワーク側の無線リソース管理に対して設定されたように、前述の処理回路２６のバージョンを実装するように設定されてもよいということが理解されよう。その配置を補完するなら、前述の無線識別情報の割付けおよび割当て情報３０がストレージ４６内に格納され、維持されてもよい。さらに、いくつかの実施形態では、無線リソース管理に対する本明細書で想定されたネットワーク側の全体的な機能は、１つまたは複数の集約型または準集約型ネットワークノード４０と共に、無線ネットワークノード１２のうちの個々の１つの中に協調して実装されてもよい。
【００３２】
ここで図５に示された無線識別情報のセット５０を考える。セット５０は、例えば複数の規定されたオフセットを使用して基本系列から導出された、例えばＤＭＲＳ系列のセットを備え、または１つまたは複数の他のタイプの無線識別情報を備える。セット５０は、前述のサブセット１６、例えばネットワーク１０の第１サービスエリア１４−１に関連付けられたサブセット１６−１、ネットワーク１０の第２サービスエリア１４−２に関連付けられたサブセット１６−２などに分割される。サブセット１６は、相互に排他的であってもよく、またはサブセット１６のうちの１つまたは複数が重複してもよい。いくつかの実施形態では、サブセット１６は同じサイズであり、他の実施形態では、２つ以上のサブセット１６は異なるサイズである。例えば、それぞれのサブセット１６の中のメンバの数は、サービスエリア１４の相対的なサイズ、サービスエリアの性質、例えば都市部、農村部、他に従ってセットされてもよい。
【００３３】
上記を念頭にふまえて、ネットワークノード１２または４０は、ネットワーク１０内で動作するように設定され、ネットワーク１０によって無線識別情報の有限セット５０から割付け可能な無線識別情報は、個々のワイヤレスノード１８との個別の無線接続を区別するために使用される。ネットワークノード１２または４０は、ネットワーク１０の個々のサービスエリア１４の間で無線識別情報を移送するために、ネットワーク１０内の１つまたは複数のネットワークノード１２とシグナリングを交換するために設定された通信インターフェース２２または４２を含む。
【００３４】
このような移送シグナリングは、例えば「借用」シグナリング、「貸与」シグナリングのうちの任意の１つまたは複数を含んでもよい。本明細書で詳述されるように、「デフォルトのサービスエリア」から別のサービスエリアに無線識別情報を一時的に移送するために使用されたネットワークノード１２および／または４０の間の移送シグナリングは、例えばネットワーク１０内の移送された識別情報の移行、拡散または伝搬を制限するために、時間的および／または地理的な移送上の制約に関する指示を含んでもよい。さらに、いくつかの実施形態では、貸与および借用「プロトコル」は、「拒否メッセージ」または同等のシグナリングを規定する。１つの例において、第１ネットワークノード１２が無線識別情報を第２ネットワークノード１２に貸与することを決定するケースを考える。しかし第２ネットワークノード１２は、第２ネットワークノード１２の近隣であるが、第１ネットワークノード１２の近隣ではない、第３ネットワークノード１２内の既に利用された無線識別情報と、識別情報の競合を引き起こすことなく、無線識別情報を受信することができないことを決定する。この競合の決定に基づいて第２ネットワークノードは、貸与を「拒否」し、拒否の指示、例えば拒否メッセージを第１ネットワークノード１２に送信し、次に第１ネットワークノード１２は、試行された貸与の代替となる１つまたは複数の動作を実行することができる。
【００３５】
この例示の処理に関して、および／または本明細書で開示された他の処理に関して、さらにネットワークノード１２または４０は、通信インターフェース２２または４２に動作上関連付けられた処理回路２６を含む。処理回路２６は、第１サービスエリア１４−１内での動作のために、ネットワーク１０内の第１サービスエリア１４−１に関連付けられた第１無線識別情報を第１ワイヤレスノード１８−１に割り当てるように、および第１ワイヤレスノード１８−１が第１サービスエリア１４−１から第２サービスエリア１４−２に移動するのと同時に、第１ワイヤレスノード１８−１との無線接続を継続するために、第１サービスエリア１４−１から第２サービスエリア１４−２に第１無線識別情報の使用を移送するように設定される。さらに処理回路２６は、第１無線識別情報の移送を支配する貸与期間の終了まで、第１無線識別情報のあらゆる新しい使用を第１サービスエリア１４−１内で据え置くように設定される。
【００３６】
ここで第１無線識別情報の「新しい使用」は、第１ワイヤレスノード１８による第１無線識別情報の使用と競合する、またはこの使用に対して対立的な状況になる第１無線識別情報の任意の使用のことを言う。また、単語「移動すること」または「移動する」は、第１ワイヤレスノード１８−１の少なくとも「論理的な」移動を言外に意味し、第１ワイヤレスノード１８−１をサービングする責任は、第１サービスエリア１４−１から第２サービスエリア１４−２に移動またはシフトする。もちろん第１ワイヤレスノード１８−１の物理的な移動もまた伴われてもよく、サービスエリア１４内で変更を促されるものであってもよい。しかしネットワーク１０は、例えば負荷の平均化、干渉管理、他のために、１つのサービスエリア１４から別のサービスエリア１４にワイヤレスノード１８を「動かし」てもよい。例えばワイヤレスノード１８の地理的な位置は、２つ以上のサービスエリア１４に対して十分に良い信号品質を享受するようなものでもよく、これによりネットワーク１０は、ワイヤレスノード１８をサービングするために、どのサービスエリア１４がリソースを割り付けるかを選択する際に、かなり大きな自由裁量権を行使することができる。
【００３７】
図６は、処理回路２６のコンピュータの実装形態を示し、格納されたコンピュータプログラム命令の実行に従ってコンピュータ処理回路機器内で実現される可能性のあるような機能または処理モジュールの配置を含む。モジュールの中に無線識別情報を個々のワイヤレスノード１８または対応する無線接続に割り当てるように設定された無線識別情報すなわち「ＲＩ」割当てモジュール６０が見える。これらの割当てはサービスエリア１４のうちの１つに対してなされてもよく、借用または貸与された無線識別情報に関連付けられた割当てと共に初期およびその後の割当てを含んでもよい。
【００３８】
さらにネットワーク１０内のリソースとして無線識別情報を管理する際に伴われる他のネットワークノード１２または４０と、無線識別情報の割当ておよび／または割付け情報を交換するように設定されたＲＩ交換モジュール６２が見える。交換モジュール６２は、１つまたは複数のサービスエリア１４のそれぞれに関連付けられたデフォルトの割当てを示唆する情報を送信してもよく、例えばＲＩ制御モジュール６４の下で無線識別情報の借用および貸与動作を行うためにシグナリングを送受信してもよい。
【００３９】
さらに前述のＲＩ制御モジュール６４が見える。ＲＩ制御モジュール６４は、無線識別情報の割付けを制御するように、ならびに借用および／または貸与機能と考えることができる、本明細書で想定された無線識別情報の移送機能のうちの任意の１つまたは複数をサポートするように設定される。
【００４０】
ネットワーク１０内の第１サービスエリア１４−１に関連付けられた第１無線識別情報が、第１サービスエリア１４−１内での動作のために第１ワイヤレスノード１８−１に割り当てられるケースの例を考える。無線ネットワークノード１２および／またはネットワークノード４０内に実装されるような処理回路２６は、第１サービスエリア１４−１に関連付けられた無線識別情報の有限セット５０のサブセット１６−１から第１無線識別情報を割り当てるように設定される。説明されたように、無線識別情報の関連付けられたサブセット１６−１は、いくつかの個々のサブセット１６の中の１つであってもよく、それぞれのこのようなサブセット１６は、ネットワーク１０内の異なるサービスエリア１４に関連付けられる。
【００４１】
問題になっている処理回路２６が、第１サービスエリア１４−１に関連付けられた第１無線ネットワークノード１２−１内に実装される場合、処理回路２６は、第２サービスエリア１４−２に関連付けられた第２無線ネットワークノード１２−２に貸与シグナリングを送信することによって第１無線識別情報を移送するように設定されてもよい。貸与シグナリングは第１無線識別情報に関する指示を含む。いくつかの実施形態では、処理回路２６は、第１無線識別情報がどの程度長く第２サービスエリア１４−２内で第１ワイヤレスノード１８−１に対して使用されてもよいかということ、および、第１ワイヤレスノード１８−１に対する第１無線識別情報をさらなるサービスエリア１４内で継続使用するために、第１無線識別情報が第２サービスエリア１４−２から移送され得るかどうか、またはどの程度の範囲まで移送され得るかということのうちの少なくとも１つを制約する１つまたは複数の制限を貸与シグナリングの中で示唆するように設定される。
【００４２】
したがってこのケースの例では、第１サービスエリア１４−１に関連付けられた無線識別情報は、第１サービスエリア１４−１内で動作する第１ワイヤレスノード１８−１に対する無線接続を区別する際に使用するために最初に割り付けられる。次にワイヤレスノード１８−１およびその無線接続を第２サービスエリア１４−２にシームレスに移送または移動させるために、無線識別情報は、第２サービスエリア１４−２内の無線接続をサポートするために、第２サービスエリア１４−２に一時的に移送され、貸与される。移送された無線識別情報の使用に対するあらゆる時間的または地理的な制限は、第２サービスエリア１４−２内の移送された識別情報の使用を強制するように示唆されてもよい。
【００４３】
これらの動作によって、例えばワイヤレスノード１８のサービング接続は、新しいサービスエリア１４のために新たに割り当てられた無線識別情報に従って接続を再設定する必要なく、１つのサービスエリア１４から新しいサービスエリア１４に移動することができる。非限定的な例として、一時的な移送は、関連するワイヤレスノード１８がセル境界または他の既知の低品質の信号領域に関連付けられた地理的領域内にある間存続し、一旦ワイヤレスノード１８が新しいサービスエリア１４に対してより良い信号条件に移動すると、新しいサービスエリア１４にとって「本来の」新しい無線識別情報が割り当てられる。
【００４４】
しかし概して、別のサービスエリア１４で使用するためにデフォルトのサービスエリア１４から所与の無線識別情報を一時的に移送することは、時間的および／または地理的に制限される。無線識別情報の移送に関する時間的および／または地理的な範囲を制限することによって、ネットワーク１０は、個々のサービスエリア１４との、無線識別情報のサブセット１６の名目上またはデフォルトの関連付けを実質的に維持することができ、これによりネットワーク１０は、同じサービスエリア１４内で無線識別情報を競合使用する可能性を防ぐこと、または少なくとも低減することができる。
【００４５】
第１サービスエリア１４−１を伴う別の例では、処理回路２６は、ネットワーク１０内の隣接サービスエリア１４に関連付けられた第２無線識別情報を借用するように、および第１サービスエリア１４−１内での動作のために、第２無線識別情報を第２ワイヤレスノード１８−２に割り当てるように設定される。借用は、第２ワイヤレスノード１８−２が第１サービスエリア１４−１に入ってくることが原因となって生じた結果としてでもよく、またはデフォルトで関連付けられた無線識別情報のサブセット１６−１から割付けるために利用可能な残りの無線識別情報がないときに、第２ワイヤレスノード１８−２が第１サービスエリア１４−１内のネットワーク１０に最初に接続することに応答して開始されてもよい。
【００４６】
すなわち、１つまたは複数の実施形態における処理回路２６は、第１サービスエリア１４−１内において、第２ワイヤレスノード１８−２に割り当てるために現在利用可能な無線識別情報がないことを決定することに応答して、第２無線識別情報を借用するように設定される。処理回路２６が第１サービスエリア１４−１に関連付けられた第１無線ネットワークノード１２−１内に実装される場合、処理回路２６は、隣接サービスエリア１４に関連付けられた第２無線ネットワークノード１２−２に借用リクエストを送信すること、および第２無線識別情報を示唆するリターンシグナリングを受信することによって第２無線識別情報を「借用する」ように設定される。
【００４７】
少なくとも１つのこのような実施形態では、第１無線ネットワークノード１２−１における処理回路２６は、借用リクエストに応答してリターンシグナリングを受信する。ここで処理回路２６は、第２無線識別情報がどの程度長く第１サービスエリア１４−１内で第２ワイヤレスノード１８−２に対して使用されてもよいかということ、および第２ワイヤレスノード１８−２に対する第２無線識別情報をさらなるサービスエリア１４内で継続使用するために、第２無線識別情報が第１サービスエリア１４−１から移送され得るかどうか、またはどの程度の範囲まで移送され得るかということのうちの少なくとも１つをリターンシグナリングに含まれる情報から決定するように設定される。処理回路２６は、リターンシグナリングに含まれる情報に従って、第２ワイヤレスノード１８−２との無線接続に対する第２無線識別情報の使用を制限する。
【００４８】
問題になっている無線識別情報は、前述のように、特定のＤＭＲＳを備えてもよい。さらに広く見れば、無線識別情報は、所与のサービスエリア１４内のサービスのために、所与のワイヤレスノード１８の無線接続を区別するためにネットワーク１０によって少なくとも一時的に使用される１つまたは複数のパラメータ、系列、値などを備える。少なくとも１つの実施形態では、無線識別情報は、ＤＭＲＳ、物理層スクランブル系列、データパケットのランダム化のために使用されるスクランブル系列、無線接続固有同期信号、および無線ネットワーク一時識別子（ＲＮＴＩ）のうちの任意の１つまたは複数を備えるか、またはマップする。
【００４９】
処理回路２６の別の設定例において、および、ここで当該の処理回路２６が第１サービスエリア１４−１に関連付けられた第１無線ネットワークノード１２−１に備わっていることを仮定すると、処理回路２６はシグナリングを第１ワイヤレスノード１８−１に送信するように設定され、シグナリングは、第１無線ネットワークノード１２−１から送信され、第１ワイヤレスノード１８−１との無線接続が第１サービスエリア１４−１から第２サービスエリア１４−２に移送されているという指示、および無線接続で受信するために第１ワイヤレスノード１８−１で使用中の無線チャネルフィルタリングをリセットするための指示のうちの少なくとも１つを含む。
【００５０】
さらなる詳細において、第１無線ネットワークノード１２−１は、第１サービスエリア１４−１から第２サービスエリア１４−２に第１ワイヤレスノード１８−１に関する無線識別情報の移送を開始するために、第１ワイヤレスノード１８−１、および／または、第２サービスエリア１４−２に関連付けられた第２無線ネットワークノード１２−２にシグナリングを送信してもよい。同時に、またはこのようなシグナリングに続いて、第１無線ネットワークノード１２−１は、フィルタのリセットが第１ワイヤレスノード１８−１において必要とされていることを第１ワイヤレスノード１８−１に示唆する。リセットされたシグナリングは、リセットが起こるべき時に送信されてもよく、もしくは適用されるべき時間の指示によって予め送信されてもよく、またはワイヤレスノード１８−１は、リセットを開始すべきときを決定するのに十分インテリジェントであってもよい。いずれにせよリセットは、第２無線ネットワークノード１２−２への伝搬チャネルは、第１無線ネットワークノード１２−１への伝搬チャネルとは実質的に異なってもよいという事実を反映する。したがってたとえ無線接続が無線識別情報に関して再設定されないとしても、ワイヤレスノード１８−１は、１つのサービスエリア１４から別のサービスエリア１４への無線識別情報の移送に伴われる変更された送信ポイントを反映するために受信機の処理をリセットまたは初期化してもよい。
【００５１】
もちろん第２サービスエリア１４−２内での使用のために、「貸与」の形式である無線識別情報を移送する第１サービスエリア１４−１に加えて、第１サービスエリア１４−１に関連付けられた第１無線ネットワークノード１２−１内に実装されるような処理回路２６はまた、通常、サービスエリア１４のうちの別の１つに関連付けられた無線識別情報を「借用する」ように設定されてもよい。少なくとも１つのこのような実施形態では、処理回路２６は、隣接サービスエリア１４から第１サービスエリア１４−１に入ってくるワイヤレスノード１８の無線接続を継続するために、移送された無線識別情報とみなされる別の無線識別情報が移送されているという指示を、第１無線ネットワークノード１２−１で受信するように、および第１サービスエリア１４−１内の入ってくるワイヤレスノード１８との無線接続を継続するために、移送された無線識別情報を使用するように設定される。
【００５２】
図７は上記で説明された処理設定と類似したワイヤレス通信ネットワーク１０内の無線リソース管理の方法７００を示す。方法７００との関連で、無線識別情報は、ネットワーク１０によって無線識別情報の有限セット５０から割付け可能であり、個別の無線識別情報は、個々のワイヤレスノード１８との個別の無線接続を区別するために使用される。方法７００は、無線ネットワークノード１２のうちの任意の１つもしくは複数において個別にまたは協調して、または任意の１つまたは複数の集約型または準集約型ネットワークノード４０において個別にまたは協調して実装されてもよい。
【００５３】
方法７００は、第１サービスエリア１４−１内での動作のために、ネットワーク１０内の第１サービスエリア１４−１に関連付けられた第１無線識別情報を第１ワイヤレスノード１８−１に割り当てること（ブロック７０２）、および第１ワイヤレスノード１８−１が第１サービスエリア１４−１から第２サービスエリア１４−２に移動するのと同時に、第１ワイヤレスノード１８−１との無線接続を継続するために、第１サービスエリア１４−１から第２サービスエリア１４−２に第１無線識別情報の使用を移送すること（ブロック７０４）を含む。方法７００は、第１無線識別情報の移送を支配する貸与期間の終了まで、第１無線識別情報のあらゆる新しい割当てを第１サービスエリア１４−１内で据え置くこと（ブロック７０６）をさらに含む。
【００５４】
図８Ａは一連の関係する例証１、２および３を示す。一番上の例証であるイメージ１は、３つのサービスエリア１４−１、１４−２および１４−３を示す。無線識別情報のサブセット１６−１は、サービスエリア１４−１に関連付けられ、無線識別情報ＲＩ０、ＲＩ３およびＲＩ６を含む。同様に無線識別情報のサブセット１６−２は、サービスエリア１４−２に関連付けられ、無線識別情報ＲＩ２、ＲＩ５およびＲＩ８を含み、一方、サブセット１６−３内の無線識別情報ＲＩ１、ＲＩ４およびＲＩ７は、サービスエリア１４−３に関連付けられる。
【００５５】
接続はサービスエリア１４−１内のワイヤレスノード１８−１に対して確立され、無線識別情報ＲＩ０を使用する。中間のイメージであるイメージ２では、無線識別情報ＲＩ０は、ワイヤレスノード１８−１およびその無線接続を第２サービスエリア１４−２に移動させるために第２サービスエリア１４−２に貸与されることがわかる。最後に下のイメージであるイメージ３では、同じ無線識別情報は、第２サービスエリア１４−２から第３サービスエリア１４−３に移動するとき、第１ワイヤレスノード１８−１の無線接続を継続するために、サービスエリア１４−２から第３サービスエリア１４−３に転送されることがわかる。
【００５６】
図８Ｂは一連のイメージを継続し、一番上のイメージであるイメージ４では、第３サービスエリア１４−３内の第１ワイヤレスノード１８−１に対する無線接続は、転送された無線識別情報ＲＩ０を使用していることがわかる。図８Ａに戻って参照すると、この識別情報は、通常、第１サービスエリア１４−１に関連付けられ、第１サービスエリア１４−１内で最初に割り付けられていた。この割付けに続いて、無線識別情報ＲＩ０は、ワイヤレスノード１８−１が第１サービスエリア１４−１から第２サービスエリア１４−２に移動するのと同時に、第２サービスエリア１４−２内で使用するために貸与された。さらに無線識別情報ＲＩ０はその後、ワイヤレスノード１８−１が第２サービスエリア１４−２から第３サービスエリア１４−３に移動するのと同時に、第３サービスエリア１４−３内で使用するために転送された。
【００５７】
イメージ５である中間のイメージでは、第３サービスエリア１４−３にとって「本来」の無線識別情報、例えばＲＩ７が、第３サービスエリア１４−３内でのワイヤレスノード１８−１の継続動作のために、ワイヤレスノード１８−１に割り当てられることがわかる。この新しい割当てによって、転送された無線識別情報ＲＩ０は、例えば第１サービスエリア１４−１に関連付けられた無線ネットワークノード１２−１にリターン指標をシグナリングすることによって、第１サービスエリア１４−１に返すことができる。イメージ６である一番下のイメージでは、第３サービスエリア１４−３内の動作は、新たに割り当てられた本来のまたはローカルの無線識別情報の使用に基づいて継続するということがわかる。
【００５８】
図９は、１つまたは複数の実施形態において、本明細書で想定されたような無線識別情報の借用を伴う別のシナリオを示す。一番上のイメージであるイメージ１では、いくつかのワイヤレスノード１８−１、１８−３および１８−４は、第１サービスエリア１４−１に関連付けられた無線識別情報のサブセット１６−１から無線識別情報ＲＩ０、ＲＩ２およびＲＩ４を割り付けられてきたことがわかる。これらの割付けは、サブセット１６−１を消耗し、ワイヤレスノード１８−２に対する割付け可能な無線識別情報がない状態にする。
【００５９】
したがって、無線ネットワークノード１２−１は、サービスエリア１４−２の無線ネットワークノード１２−２にシグナリングを送信し、無線識別情報を借用することを望むことを示唆する。無線ネットワークノード１２−２は、例としてＲＩ１としてここで示された無線識別情報、例えばＲＩ１のうちの１つを無線ネットワークノード１２−１に貸与する。貸し出された無線識別情報は、第２サービスエリア１４−２に関連付けられた無線識別情報のサブセット１６−２から取られる。この貸与は、貸与が返されるまで、または任意の規定された貸与期間が満了するまで少なくとも一時的に、貸し出された無線識別情報をサブセット１６−２から効果的に取り除く。それに対応して、一番下のイメージであるイメージ２では、第１無線ネットワークノード１２−１は、第２ワイヤレスノード１８−２に対して割り付けるために、貸し出された無線識別情報ＲＩ１を使用することがわかる。
【００６０】
図１０は、ワイヤレス通信ネットワーク１０内の無線リソース管理の方法１０００の別の実施形態を示し、ネットワーク１０によって無線識別情報の有限セット５０から割付け可能な無線識別情報は、個々のワイヤレスノード１８との個別の無線接続を区別するために使用される。方法１０００は、少なくとも１つの無線ネットワークノード１２内、例えば１つまたは複数の無線基地局内に実装されるか、または１つもしくは複数のサービスエリア１４に対して集約型である別のネットワークノード４０内に実装される。
【００６１】
ネットワーク１０内の所与の第１サービスエリア１４−１に対して、方法１０００は、ネットワーク１０内の隣接サービスエリア１４に関連付けられた第１無線識別情報を借用すること（ブロック１００２）を含む。さらに方法１０００は、第１サービスエリア１４−１内での動作のために、第１無線識別情報を第１ワイヤレスノード１８−１に割り当てること（ブロック１００４）と、第１サービスエリア１４−１内での第１ワイヤレスノード１８−１の継続動作のために、第１サービスエリア１４−１に関連付けられた第２無線識別情報を第１ワイヤレスノード１８−１にその後割り当てること（ブロック１００６Ａ）、第１ワイヤレスノード１８−１に対する第１無線識別情報の借用が終わったことを示唆する指示を隣接サービスエリア１４内のネットワークノード１２に送信すること（ブロック１００６Ｂ）、および第１無線識別情報に課されたあらゆる貸与の制約を条件として、第１サービスエリア１４−１からさらなるサービスエリア１４に第１ワイヤレスノード１８−１を移動させるために、第１無線識別情報をさらなるサービスエリア１４に貸与すること（ブロック１００６Ｃ）のうちの少なくとも１つを行うこととを含む。
【００６２】
少なくとも１つの実施形態では、第２無線識別情報を第１ワイヤレスノード１８−１にその後割り当てること（ブロック１００６Ａ）が、第１無線識別情報の借用使用に対して明示された期限内に、第１無線識別情報から第２無線識別情報に第１ワイヤレスノード１８−１を変更することを含む。さらに、少なくとも１つの実施形態では、第１無線識別情報をさらなるサービスエリア１４に貸与すること（ブロック１００６Ｃ）は、さらなるサービスエリア１４内の第１無線識別情報の使用を制限する地理的制約および時間的制約のうちの少なくとも１つを、さらなるサービスエリア１４のネットワークノード１２に示唆することのうちの少なくとも１つを含む。最後に、借用された無線識別情報がさらに貸与され得る少なくとも１つの実施形態では、方法１０００は、第１無線識別情報がさらなるサービスエリア１４内で使用するために貸与されているあることを、隣接サービスエリア１４内のネットワークノード１２に示唆することを含む。
【００６３】
したがって無線ネットワークノード１２または他のネットワークノード４０は、ネットワーク１０の個々のサービスエリア１４の間で無線識別情報を移送するために、ネットワーク１０内の１つまたは複数の無線ネットワークノード１２とシグナリングを交換するために設定された通信インターフェース２２または４２を含む。このような実施形態では、処理回路２６は、通信インターフェース２２または４２と動作上関連付けられ、ネットワーク１０内の隣接サービスエリア１４に関連付けられた第１無線識別情報を借用するように、および、第１サービスエリア１４−１内での動作のために、第１無線識別情報を第１ワイヤレスノード１８−１に割り当てるように設定される。
【００６４】
さらに処理回路２６は、第１サービスエリア１４−１内での第１ワイヤレスノード１８−１の継続動作のために、第１サービスエリア１４−１に関連付けられた第２無線識別情報を第１ワイヤレスノード１８−１にその後割り当てること、第１ワイヤレスノード１８−１に対する第１無線識別情報の借用が終わったことを示唆する指示を隣接サービスエリア１４内のネットワークノード１２に送信すること、および第１無線識別情報に課されたあらゆる貸与の制約を条件として、第１サービスエリア１４−１からさらなるサービスエリア１４に第１ワイヤレスノード１８−１を移動させるために、第１無線識別情報をさらなるサービスエリア１４に貸与することに関する動作のうちの少なくとも１つを行うように設定される。
【００６５】
図１１は、ワイヤレス通信ネットワーク１０内の無線識別情報を管理する方法１１００のさらに別の実施形態を示し、ネットワーク１０によって無線識別情報の有限セット５０から割付け可能な無線識別情報は、個々のワイヤレスノード１８との個別の無線接続を区別するために使用される。方法１１００は、無線ネットワークノード１２のそれぞれの中に個別にまたは協調して実装されてもよく、または１つまたは複数のネットワークノード４０の中に実装されてもよく、これらのそれぞれは、無線ネットワークノード１２および対応するサービスエリア１４のうちの２つ以上に対して無線リソースを管理することに対する責任がある。
【００６６】
方法１１００は、無線識別情報の個々のサブセット１６をネットワーク１０の複数のサービスエリア１４の中の個々のサービスエリア１４に関連付けること（ブロック１１０２）を含む。さらに、複数のサービスエリア１４の中の任意の所与の第１サービスエリア１４−１内において、方法１１００は、第１サービスエリア１４−１内で動作するワイヤレスノード１８−１との無線接続を確立するために、第１サービスエリア１４−１に関連付けられた無線識別情報のサブセット１６から無線識別情報を必要に応じて割り当てること（ブロック１１０４）を含む。さらに、第２サービスエリア１４−２から第１サービスエリア１４−１に入ってきて、第２サービスエリア１４−２に関連付けられた無線識別情報のサブセット１６から割り当てられた現在の無線識別情報を有する、入ってくるワイヤレスノード１８に関して、方法１１００は、入ってくるワイヤレスノード１８が第２サービスエリア１４−２から第１サービスエリア（１４−１）に移動するときに、同じ無線識別情報を継続使用できるように、入ってくるワイヤレスノード１８を第１サービスエリア１４−１内でサポートする際に使用するために、借用された無線識別情報として現在の無線識別情報を借用すること（ブロック１１０６）、ならびに第２サービスエリア１４−２内で使用する目的で借用された無線識別情報を返すために、借用された無線識別情報の使用をその後終了すること（ブロック１１０８）、および第１サービスエリア１４−１に関連付けられたサブセット１６から取られた無線識別情報を入ってくるワイヤレスノード１８に割り当てることを含む。
【００６７】
さらに、第１サービスエリア１４−１から第３サービスエリア１４−３に出ていき、第１サービスエリア１４−１に関連付けられた無線識別情報のサブセット１６から割り当てられた現在の無線識別情報を有する、出ていくワイヤレスノード１８に関して、方法１１００は、出ていくワイヤレスノード１８が第１サービスエリア１４−１から第３サービスエリア１４−３に移動するときに、同じ無線識別情報を継続使用できるように、入ってくるワイヤレスノード１８を第３サービスエリア１４−３内でサポートする際に使用するために、貸与された無線識別情報として現在の無線識別情報を貸与すること（ブロック１１１０）、および貸与された無線識別情報に関連付けられた貸与期間中、貸与された無線識別情報の新しい割当てを第１サービスエリア１４−１内で据え置くこと（ブロック１１１２）を含む。
【００６８】
図１２は、ワイヤレスノード１８の実施形態の例を示し、ワイヤレスノード１８は、ネットワーク１０内での動作のために設定された本質的に任意のタイプのワイヤレス装置でもよい。非限定的な例は、ユーザ機器すなわちＵＥを含み、ユーザ機器はまた、加入者デバイス、ユーザ端末、モバイル端末、他と呼ばれてもよい。スマートフォン、フィーチャーフォン、ポケットベル、モデム、ネットワークアダプタ、ワイヤレス通信能力を有するラップトップコンピュータおよびテーブルは具体例を表すが、このリストは排他的ではない。例えばワイヤレスノード１８は、マシンツーマシン（Ｍ２Ｍ）アプリケーションで使用されるようなマシン型通信（ＭＴＣ）デバイスを備えてもよく、またはモバイル中継ノード他を備えてもよい。
【００６９】
ワイヤレスノード１８の図示の例は、アンテナインターフェース回路１０２を通じて無線送受信機１０４に結合する１つまたは複数のアンテナ１００を含み、無線送受信機１０４は、送信機（ＴＸ）１０８および受信機（ＲＸ）１０６を含む。さらにワイヤレスノード１８は、処理回路機器１１０、例えば１つまたは複数のマイクロプロセッサ、ＦＰＧＡ、ＤＳＰ、ＡＳＩＣ、または他のデジタル処理回路機器を含む。処理回路機器１１０は処理回路１１２を含みまたは備え、ストレージ１１４に関連付けられ、ストレージ１１４は、１つまたは複数のタイプのメモリ回路または他のストレージデバイスでもよい。このようなコンピュータ可読な１つの媒体または複数の媒体は、様々な設定データ１１６およびコンピュータプログラム１１８のための非一時的ストレージを提供する。実施形態の少なくとも１つの例では、ワイヤレスノード１８は、本明細書における教示に従って、コンピュータプログラム１１８を備えるコンピュータプログラム命令の実行に基づいて設定される。これらのプログラム命令は、以下のさらなる詳細で説明されたものなど、一定のアルゴリズムを実行するように処理回路１１２を設定する。
【００７０】
通信インターフェース、例えばＴＸ１０８およびＲＸ１０６を有する送受信機１０４は、ネットワーク１０との無線通信のために設定され、ならびに処理回路１１２は、ネットワーク１０によってワイヤレスノード１８に割り当てられた第１無線識別情報を決定するように、およびワイヤレスノード１８とネットワーク１０との間の無線接続を区別するために第１無線識別情報を使用するように設定される。ここでネットワーク１０の第１サービスエリア１４−１によってサポートされた無線接続すなわち無線接続は、第１サービスエリア１４−１内のサービスを提供するために使用される無線リソースを消費する。
【００７１】
処理回路１１２は、無線接続がネットワーク１０の第２サービスエリア１４−２に移動されていることを示唆する、ネットワーク１０からのシグナリングを受信するように、および第２サービスエリア１４−２との無線接続を継続するために、無線接続に対する第１無線識別情報を使用し続けるようにさらに設定される。さらに、１つまたは複数の実施形態では、ネットワーク１０から前述のシグナリングを受信することに応答して、処理回路１１２は、無線接続で受信するためにワイヤレスノード１８によって使用される無線チャネルフィルタ１２０をリセットするように設定される。無線チャネルフィルタ１２０をリセットすることは、無線チャネルフィルタ１２０によって使用されるフィルタ係数をゼロにすることまたは再初期化することを含んでもよく、このフィルタはフロントエンド回路としてＲＸ１０６内に実装されてもよく、ベースバンドデジタルフィルタとして処理回路１１２内に実装されてもよい。
【００７２】
それに対応して、図１３は図１２のワイヤレスノード１８によって、または本質的にワイヤレスノード１８のあらゆる実装形態によって実装された動作の方法１３００を示す。方法１３００は、ネットワーク１０によってワイヤレスノード１８に割り当てられた第１無線識別情報を決定すること（ブロック１３０２）、およびワイヤレスノード１８とネットワーク１０との間の無線接続を区別するために第１無線識別情報を使用すること（ブロック１３０４）を含む。無線接続はネットワーク１０の第１サービスエリア１４−１によってサポートされ、方法１３００は、無線接続がネットワーク１０の第２サービスエリア１４−２に移動されていることを示唆するシグナリングをネットワーク１０から受信すること（ブロック１３０６）、および第２サービスエリア１４−２との無線接続を継続するために、無線接続に対する第１無線識別情報を使用し続けること（ブロック１３０８）を含む。いくつかの実施形態では、さらに方法１３００は、ネットワーク１０からのシグナリングに応答して、無線接続で受信するためにワイヤレスノード１８によって使用される無線チャネルフィルタ１２０をリセットすること（ブロック１３１０）を含む。
【００７３】
他の詳細例では、ここで問題になっている無線識別情報は、ユーザ固有系列を含んでもよく、またはユーザ固有系列として理解されてもよく、ここで「ユーザ」は特定のワイヤレスノード１８を意味する。これらのユーザ固有系列のサブセット１６は、いくつかのデフォルトの意味において、ネットワーク１０の個々のサービスエリア１４に関連付けられてもよいが、これらは、より一般に、少なくとも一時的に個々のユーザに属するものとして見なされる可能性がある。本明細書における本教示は、様々なサービスエリア１４の間および中でユーザ固有系列を借用し、貸与し、転送し、そうでなければ移送する仕組みを提供し、その結果１つのサービスエリア１４内の特定の系列を使用するユーザは、新しいサービスエリア１４に移動する後、少なくとも一時的にこの系列を使用し続けることができる。ＬＴＥからの例のようにユーザ固有系列は、アップリンクおよび／もしくはダウンリンクＤＭＲＳ系列の初期設定であり、ならびに／またはＣ−ＲＮＴＩおよびダウンリンク制御チャネル設定、物理セルＩＤおよび／もしくは信号系列であり、これらはチャネルおよび／または干渉測定のために使用される。
【００７４】
したがって本明細書における本教示は、無線識別情報の割当てにおいて柔軟性を提供するものとして理解することができ、その結果サービスエリア１４内および隣接サービスエリア１４間の系列の良い相関特性が維持されるが、それにも関わらず、このようなノードのために使用される無線識別情報の再設定を要することなく、ワイヤレスノード１８がサービスエリア間を移動することが可能になる。これらの動作によって、例えば１つのサービスエリア１４から１つまたは複数の他のサービスエリア１４への所与の無線識別情報の一時的な「移行」が可能になるが、ネットワーク１０が個別の無線識別情報の競合使用を制限する基本的な無線識別情報の計画立案または割当て方式を維持することもまた可能になる。
【００７５】
特に、開示された本発明の変更形態および他の実施形態は、前述の説明および関連図面の中で提示された本教示の利益を有する当業者には思い浮かぶであろう。したがって、本発明は、開示された特定の実施形態に限定されないこと、および変更形態および他の実施形態は、本開示の範囲内に含まれることを意図することを理解されたい。特定の用語が本明細書で用いられる可能性もあるが、これらは総称的かつ記述的な意味でのみ使用されるが限定のために使用されない。
【図１】
0006634087.tif 000002
【図２】
0006634087.tif 000003
【図３】
0006634087.tif 000004
【図４】
0006634087.tif 000005
【図５】
0006634087.tif 000006
【図６】
0006634087.tif 000007
【図７】
0006634087.tif 000008
【図８Ａ】
0006634087.tif 000009
【図８Ｂ】
0006634087.tif 000010
【図９】
0006634087.tif 000011
【図１０】
0006634087.tif 000012
【図１１】
0006634087.tif 000013
【図１２】
0006634087.tif 000014
【図１３】
0006634087.tif 000015